(57)【要約】      （修正有）【課題】透光の嵌入ランプカバー面に、一体で、多種の波紋様溝を凹設し、構造機能上、LED嵌入ランプ照明を改善し、ジョイントが便利に接続できるＬＥＤ嵌入ランプ構造を提供する。【解決手段】透光嵌入ランプカバーが回路板に畳接され、回路板が散熱ブロックを畳接し、ランプ後殻と透光嵌入ランプカバー周縁により、透光嵌入ランプカバー入光面を被覆し、中心が輪心で、同輪心の輪波紋様を配置し、適当な位置が、発光ダイオード嵌入孔を凹出する投射光錘を突出し、カバーの最外輪波紋様に対応する外周に環周直壁を形成し、環周直壁は透光嵌入ランプカバー入光面の壁端に向かい、平行な波紋様を配置し、環周直壁の平行波紋様を配置した末端に、外壁に水平環壁を一体湾出する。水平環壁の平行波紋様に近い壁面は放射状波紋様を配置し、透光嵌入ランプカバーが形成する輪波紋様、平行波紋様、放射波紋様のもう一面は平滑面で、発光ダイオードを発光させ、投射光錘により拡大放射する。【選択図】図２
0003147533.tif 000002
【実用新案登録請求の範囲】
【請求項１】
増益LED嵌入ランプ構造であって、主に、透光嵌入ランプカバー、少なくとも一つ、或いは、それ以上の発光ダイオードが設置された回路板、散熱ブロック、ランプ後殻、及び、ランプ後殻外に設置されたジョイント、からなり、前記透光嵌入ランプカバーが前記回路板に畳接され、前記回路板が前記散熱ブロックを畳接し、前記ランプ後殻と前記透光嵌入ランプカバー周縁により全体を被覆し、その特徴は、前記透光嵌入ランプカバーは、中心を輪心とし、同輪心の輪波紋様を配置し、且つ、適当な位置に、発光ダイオード嵌入孔を凹出する投射光錘を突出し、前記透光嵌入ランプカバーが形成する輪波紋様のもう一面は平滑面を形成することを特徴とする増益LED嵌入ランプ構造。  
【請求項２】
前記ランプ後殻外頂部に通孔を開設し、前記回路板の電線が一つずつ前記ランプ後殻外頂部の通孔を貫通し、前記ジョイントの対応する挟孔と導接し、且つ、前記ジョイントのその他の対応する通孔は、装着したい場所の市電電線が、前記ジョイントの挟孔の頂部の施圧位置に対応し、挟足が対応伸入するこれらの孔を有する圧板を形成し、前記圧板により、前記電線が一つずつ、孔に伸入して挟定され、前記圧板頂面は、電線を接地に挿接する、電線を電源端に挿接する等の導接指示符号により、接線時の識別が便利であることを特徴とする請求項１に記載の増益LED嵌入ランプ構造。
【請求項３】
前記透光嵌入ランプカバーの対応する最外輪波紋様の外周に環周直壁を形成し、前記環周直壁は、前記透光嵌入ランプカバーの壁端に向かって、平行な波紋様を配置することを特徴とする請求項１に記載の増益LED嵌入ランプ構造。
【請求項４】
前記環周直壁の平行な波紋様の末端に、外周に向かって、水平環壁を一体湾出し、前記水平環壁の前記平行波紋様に近い壁面に、放射状紋様を配置することを特徴とする請求項３に記載の増益LED嵌入ランプ構造。
【請求項５】
前記透光嵌入ランプカバーが形成する輪波紋様、平行波紋様、及び、放射波紋様のもう一面は、平滑面であることを特徴とする請求項４に記載の増益LED嵌入ランプ構造。
【請求項６】
前記ランプカバー嵌環の内環壁が、前記透光嵌入ランプカバー外周縁壁に嵌合し、前記ランプカバー嵌環の内環壁は、前記透光嵌入ランプカバー１０外周底縁の数箇所に対応し、点を突出して、前記透光嵌入ランプカバー外周縁壁を嵌挟し、前記内環壁の壁面嵌孔を挿入する壁縁は、一対の螺旋ばねを軸管の弾圧耳部として、壁面嵌孔の内壁を挟置し、全体を前記壁面嵌孔に固定することを特徴とする請求項１に記載の増益LED嵌入ランプ構造。
【考案の詳細な説明】
【技術分野】
【０００１】
本考案は増益LEDの嵌入ランプ構造に関するものであって、透光の嵌入ランプカバー面に、一体で、多種の波紋様溝を凹設し、構造機能上、LED嵌入ランプ照明を改善し、ジョイントが便利に接続できるLED嵌入ランプ構造に関するものである。
【背景技術】
【０００２】
LEDを発光源とする各種現代ランプ中、嵌入ランプは、水平嵌入壁面でも、垂直立設の嵌入式でも、全方位に散光できず、また、一定領域で均一な輝度、特定の照射角度を射出しなければいけない特性があるが、LEDの発光を増強させても、連続しない点点の光点なので、面全体が均一な照明が得られない。
【０００３】
また、市電電線は公知のランプ台座にねじで固定する配線構造で、ドライバーがないと作業できず、配線が不便である。
【考案の開示】
【考案が解決しようとする課題】
【０００４】
本考案の目的は、増益LED嵌入ランプ構造を提供し、上述の問題を改善することにある。
【課題を解決するための手段】
【０００５】
本考案の増益LED嵌入ランプ構造は、主に、透光嵌入ランプカバー、少なくとも一つ、或いは、それ以上の発光ダイオードが設置された回路板、散熱ブロック、ランプカバー嵌環、ランプ後殻、及び、ランプ後殻外に設置されたジョイント、からなる。透光嵌入ランプカバーが回路板に畳接され、回路板が散熱ブロックを畳接し、ランプ後殻と透光嵌入ランプカバー周縁により全体、特に、透光嵌入ランプカバー入光面を被覆し、中心を輪心とし、同輪心の輪波紋様を配置し、且つ、適当な位置が、発光ダイオード嵌入孔を凹出する投射光錘を突出すると共に、透光嵌入ランプカバーの最外輪波紋様に対応する外周に環周直壁を形成し、環周直壁は透光嵌入ランプカバー入光面の壁端に向かい、平行な波紋様を配置し、環周直壁の平行波紋様を配置した末端に、外壁に向かって水平環壁を一体湾出する。水平環壁の平行波紋様に近い壁面は、放射状波紋様を配置し、且つ、透光嵌入ランプカバーが形成する輪波紋様、平行波紋様、及び、放射波紋様のもう一面は、平滑面で、発光ダイオードを発光させ、投射光錘により拡大放射され、輪波紋様層により光線が屈折し、マスク中央輝度を均一にし、且つ、周囲の辺光は平行波紋様、及び、放射状波紋様により屈折し、最外環のオーロラを形成し、LED嵌入ランプ照明効果を増加する。
【０００６】
また、本考案の増益LED嵌入ランプ構造は、ランプ後殻頂部に電線が貫通する穿孔を有し、ランプ後殻外に設置されたジョイント内外の電線が露出せず、市電電線の配線が快速で、便利である。
【考案の効果】
【０００７】
本考案により、構造機能上、LED嵌入ランプ照明を改善し、ジョイントが便利に接続できる。
【考案を実施するための最良の形態】
【０００８】
図１は、本考案の増益LED嵌入ランプ構造の全体立体図である。図２は、増益LED嵌入ランプ構造の立体分解図で、図３は、増益LED嵌入ランプ構造の主要構造断面図である。これらの図から分かるように、本考案の増益LED嵌入ランプ構造は、透光嵌入ランプカバー１０、少なくとも一つの発光ダイオード２１、２２、２３が設置された回路板２０、散熱ブロック３０、ランプ後殻４０、ランプカバー嵌環７０、及び、ランプ後殻４０外に設置されたジョイント５０、からなる。透光嵌入ランプカバー１０は回路板２０に畳接されて、回路板２０上の発光ダイオード２１、２２、２３が、透光嵌入ランプカバー１０後に開設された発光ダイオード嵌入孔１０A、１０B、１０Cに対応挿入する。且つ、回路板２０は各発光ダイオード２１、２２、２３の電線２０A,２０Bに電源供給し、回路板２０、及び、散熱ブロック３０を通過して、電線２０A,２０B末梢をランプ後殻４０を穿出して、ジョイント５０の対応する挿入端に挿入する。ランプ後殻４０とジョイント５０の詳細は後述する。
【０００９】
回路板２０に散熱ブロック３０を畳接し、ランプカバー嵌環７０の内環壁７１が、透光嵌入ランプカバー１０外周縁壁に嵌合し、ランプカバー嵌環７０の内環壁７１は、透光嵌入ランプカバー１０外周底縁の数箇所に対応し（三点の分布で平面位置が決定できるので、ここでは、透光嵌入ランプカバー１０外周底縁で均等に分布した三点位置のこと）、点７２、７３を突出して、透光嵌入ランプカバー１０外周縁壁を嵌挟し、内環壁７１の壁面嵌孔を挿入する壁縁は、一対の螺旋ばね７４Ａ、７５Ａを軸管の弾圧耳部７４，７５として、壁面嵌孔８０の内壁を挟置し、全体を壁面嵌孔８０に固定する。透光嵌入ランプカバー入光面１０Ｄに回路板２０を畳接し、更に、散熱ブロック３０、散熱ブロック３０頂部の変調回路３１、及び、ランプ後殻４０を畳接し、ジョイント５０をランプ後殻４０の外頂部位に固接し、ランプ後殻４０外頂部位に、透孔４１、４２を開設して、変調回路３１の電線２０Ａ、２０Ｂを一つずつ、ランプ後殻４０外頂部位の透孔４１、４２に貫通させ、ジョイント５０が挟孔５１、５２、５３に対応して、挟圧導接する。
【００１０】
特に、透光嵌入ランプカバーの入光面１０Dは、中心を輪心とし、同輪心の輪波紋様１０E,１０Fを配置し、且つ、適当な位置に、発光ダイオード嵌入孔１０A,１０B、１０Cを凹出する投射光錘１０G、１０H、１０Iを突出すると共に、透光嵌入ランプカバー１０の最外輪波紋様１０Fに対応する外周に、環周直壁１０Jを形成し、環周直壁１０Jは、透光嵌入ランプカバー１０Dの入光面の壁端に向かって、平行波紋様１０L、１０Mを配置し、環周直壁１０Jの平行波紋様１０L、１０Mの末端に、外周に向かって水平環壁１０Nを一体湾出し、水平環壁１０Nの平行波紋様１０L、１０Mに近い壁面に、放射状の波紋様１０O、１０Pを配置し、且つ、透光嵌入ランプカバー１０が形成する輪波紋様１０E、１０F、平行波紋様１０L、１０M、及び、放射状波紋様１０O、１０Pのもう一面は、どれも、平滑面である。この他、図３で示されるように、発光ダイオード嵌入孔１０A、１０B、１０C内に、それぞれ、発光ダイオード２１、２２、２３頂端の孔底に向かって、レンズ作用のある凸曲面１０Q、１０R、１０Sを形成し、散光効果を増強する。
【００１１】
図４で示される射光経路で示されるように、発光ダイオード２１、２２、２３は発光すると、投射光錘１０G、１０H、１０Iにより拡大射出する時、射光は、輪波紋様１０E、１０Fにより屈折し、カバー中央の輝度を均一に拡散し、且つ、周囲に照射する辺光は、平行紋様１０L、１０M、及び、放射波紋様１０O、１０Pにより光線が屈折し、最外環のオーロラを形成する。
【００１２】
図５で示されるように、ランプ後殻４０外頂部に通孔４１、４２を開設し、回路板２０の電線２０A,２０Bが一つずつランプ後殻４０外頂部の通孔４１、４２を貫通し、ジョイント５０が挟孔５１、５２、５３に対応して導接する。
【００１３】
図６はジョイントの立体拡大図で、図７は、ジョイントのもう一端の立体拡大図である。ジョイント５０は、対応する挟孔５４、５５、５６を有し、挟圧は図３で示されるように、装着したい場所の市電電線６０、６１は、ジョイント５０の挟孔５１、５２、５３、５４、５５、５６の頂部の施圧位置に対応し、挟足５７B、５８B、５９Bが対応伸入するこれらの孔５１、５２、５３、５４、５５、５６を有する圧板５７、５８、５９を形成する。圧板５７、５８、５９により、電線２０A、２０B、６０、６１が一つずつ、孔５１、５２、５３、５４、５５、５６に伸入して挟定され、圧板５７、５８、５９頂面は、電線を接地に挿接する、電線を電源端に挿接する等の導接指示符号５７A、５８A、５９Aにより、接線時の識別が便利である。
【図面の簡単な説明】
【００１４】
【図１】本考案の増益LED嵌入ランプ構造の全体立体図である。
【図２】本考案の増益LED嵌入ランプ構造の立体分解図である。
【図３】本考案の増益LED嵌入ランプ構造の主要構造断面図である。
【図４】本考案の増益LED嵌入ランプ構造の射光経路を示す図である。
【図５】本考案の増益LED嵌入ランプ構造のランプ後殻とジョイントの接合を示す図である。
【図６】本考案の増益LED嵌入ランプ構造のジョイントの立体拡大図である。
【図７】本考案の増益LED嵌入ランプ構造のジョイントのもう一端に立体拡大図である。
【符号の説明】
【００１５】
透光嵌入ランプカバー１０、
嵌入孔１０A、１０B、１０C
入光面１０D
輪波紋様１０E,１０F
投射光錘１０G、１０H、１０I
環周直壁１０J
平行波紋様１０L、１０M
水平環壁１０N
放射状の波紋様１０O、１０P
凸曲面１０Q、１０R、１０S
回路板２０、
電線２０A,２０B
発光ダイオード２１、２２、２３、
散熱ブロック３０、
変調回路３１、
ランプ後殻４０、
透孔４１、４２
ジョイント５０、
挟孔５１、５２、５３、５４、５５、５６
導接指示符号５７Ａ、５８Ａ、５９Ａ
挟足５７B、５８B、５９B
市電電線６０、６１
ランプカバー嵌環７０
内環壁７１
点７２、７３
弾性耳７４、７５
螺旋ばね７４Ａ、７５Ａ
壁面嵌孔８０
【図１】
0003147533.tif 000003
【図２】
0003147533.tif 000004
【図３】
0003147533.tif 000005
【図４】
0003147533.tif 000006
【図５】
0003147533.tif 000007
【図６】
0003147533.tif 000008
【図７】
0003147533.tif 000009